(57)【要約】【課題】物をひもで結わえる際などに隙間にひもを通しやすく、新聞、雑誌等を束ねやすいひも通し構造および新聞等ストッカーを提供する。【解決手段】本体１０が４つの枠部材１１を有する。各枠部材１１は直角の長方形状の２つの側面および各側面と直角の長方形状の底面をそれぞれ有する。４つの枠部材１１は側面端部１２同士および底面端部同士を、ひもを通過可能な隙間１４をあけて対向させて配置される。本体１０は各枠部材１１の各側面により各底面を包囲して内側に収容部を形成する。複数対の磁性体２０ａ，２０ｂが対向する各側面端部１２同士および各底面端部同士に隙間１４で互いに吸着するよう取り付けられる。隙間１４で吸着する各磁性体２０ａ，２０ｂの間をひもが通過できる間隔に拡幅可能である。連結部材３０が枠部材１１の対向する各側面端部１２同士を着脱可能に結合可能である。【選択図】図１
0003181835.tif 000002
【実用新案登録請求の範囲】
【請求項１】
ひもを通過可能な隙間を挟んで対向する２つの端部に互いに吸着するよう取り付けられた１対の磁性体を有し、
各磁性体の間をひもが通過できる間隔に拡幅可能な構成を有することを、
特徴とするひも通し構造。
【請求項２】
ひもを通過可能な隙間を挟んで配置された２つの部材と、
各部材の前記隙間を挟んで対向する２つの端部に互いに吸着するよう取り付けられた１対の磁性体とを有し、
各磁性体の間をひもが通過できる間隔に拡幅可能な構成を有することを、
特徴とするひも通し構造。
【請求項３】
各部材は互いに独立した部材から成り、前記隙間を拡幅することにより各磁性体の間を拡幅可能に設けられていることを、特徴とする請求項２記載のひも通し構造。
【請求項４】
直角の２つの側面および各側面と直角の底面をそれぞれ有する４つの枠部材を有し、各枠部材の側面端部同士および底面端部同士を、ひもを通過可能な隙間をあけて対向させ、各側面により各底面を包囲して内側に収容部を形成した本体と、
対向する各側面端部同士および／または各底面端部同士に前記隙間で互いに吸着するよう取り付けられた複数対の磁性体とを有することを、
特徴とする新聞等ストッカー。
【請求項５】
各磁性体はそれぞれ平坦面で吸着し、前記本体の外側から各磁性体の間にひもを案内するガイド部材が設けられていることを、特徴とする請求項４記載の新聞等ストッカー。
【請求項６】
前記枠部材の対向する各側面端部同士を着脱可能に結合する連結部材を有することを、特徴とする請求項４または５記載の新聞等ストッカー。
【請求項７】
前記本体の底部に脚部を有し、前記脚部は設置箇所との間でひもの通過を容易にするよう設置面が球面状をなしていることを、特徴とする請求項４、５または６記載の新聞等ストッカー。
【考案の詳細な説明】
【技術分野】
【０００１】
本考案は、物をひもで結わえる際などに隙間にひもを通すためのひも通し構造および新聞等を収容するための新聞等ストッカーに関する。
【背景技術】
【０００２】
従来の新聞等ストッカーとして、台に設けた４つの枠の上に新聞、雑誌を重ねておき、新聞等を束ねるとき、枠の下の空間に手を通し、ひもで縛るのを容易にするものが開示されている（例えば、特許文献１参照）。
【先行技術文献】
【特許文献】
【０００３】
【特許文献１】特開２０００−８５２８７号公報
【考案の概要】
【考案が解決しようとする課題】
【０００４】
特許文献１に記載の従来の新聞等ストッカーは、枠と台との間に空間が設けられているものの、枠が台に固定されているため、新聞等を重ねた枠の下に、手に持ったひもを通しにくく、依然として新聞等を縛りにくいという課題があった。
【０００５】
本考案は、このような課題に着目してなされたもので、物をひもで結わえる際などに隙間にひもを通しやすく、新聞、雑誌等を束ねやすいひも通し構造および新聞等ストッカーを提供することを目的とする。
【課題を解決するための手段】
【０００６】
上記目的を達成するために、本考案に係るひも通し構造は、ひもを通過可能な隙間を挟んで対向する２つの端部に互いに吸着するよう取り付けられた１対の磁性体を有し、各磁性体の間をひもが通過できる間隔に拡幅可能な構成を有することを、特徴とする。
【０００７】
本考案に係るひも通し構造は、２つの端部の隙間で１対の磁性体が吸着している。ひもが各磁性体の間を通過するとき、各磁性体はひもの押付力により離れ、ひもが通過した後、再び吸着する。こうして、各端部の間をひもが通過するのが可能となる。
【０００８】
２つの端部は、１つの部材が有していても、２つの部材がそれぞれ有していてもよい。１つの部材が２つの端部を有する場合、各磁性体の間をひもが通過できる間隔に拡幅可能な構成は、１対の磁性体が部材に対して隙間の幅方向に往復運動可能に取り付けられた構成から成っても、部材が隙間を拡幅可能な構成から成ってもよい。２つの部材がそれぞれ端部を有する場合、各部材が互いに独立していて隙間を拡幅可能な構成から成ることが好ましい。１対の磁性体は、２個の永久磁石から成っていても、永久磁石と鉄片から成っていてもよい。１対の磁性体は、対向する２つの端部に長さ方向にわたって長く伸びるよう取り付けられていても、点状に取り付けられていてもよい。磁性体は、１対のみでなく、複数対取り付けられていてもよい。本明細書において、「ひも」には、糸、鎖、ロープを含む。
【０００９】
本考案に係るひも通し構造は、ひもを通過可能な隙間を挟んで配置された２つの部材と、各部材の前記隙間を挟んで対向する２つの端部に互いに吸着するよう取り付けられた１対の磁性体とを有し、各磁性体の間をひもが通過できる間隔に拡幅可能な構成を有することが好ましい。
【００１０】
この場合、２つの部材の隙間で１対の磁性体が吸着している。ひもが各磁性体の間を通過するとき、各磁性体はひもの押付力により離れ、ひもが通過した後、再び吸着する。こうして、２つの部材を１対の磁性体により結合させたまま、各部材の間をひもが通過するのが可能となる。２つの部材は、新聞、雑誌等のストッカーを構成する部材のほか、物を縛るための台を構成する部材であってもよい。
【００１１】
本考案に係るひも通し構造のおいて、各部材は互いに独立した部材から成り、前記隙間を拡幅することにより各磁性体の間を拡幅可能に設けられていることが好ましい。この場合、各部材は互いに離れることにより、隙間を拡幅し、各磁性体の間をひもが通過するのを可能にする。
【００１２】
本考案に係る新聞等ストッカーは、直角の２つの側面および各側面と直角の底面をそれぞれ有する４つの枠部材を有し、各枠部材の側面端部同士および底面端部同士を、ひもを通過可能な隙間をあけて対向させ、各側面により各底面を包囲して内側に収容部を形成した本体と、対向する各側面端部同士および／または各底面端部同士に前記隙間で互いに吸着するよう取り付けられた複数対の磁性体とを有することを、特徴とする。
【００１３】
本考案に係る新聞等ストッカーは、複数対の磁性体により４つの枠部材が結合されている。４つの枠部材の内側の収容部に新聞、雑誌等を重ねて収容する。収容した新聞等を束ねる際、ひもを４つの枠部材の対向する２つの隙間に入れる。ひもが各磁性体の間を通過するとき、各磁性体はひもの押付力により離れ、ひもが通過した後、再び吸着する。ひもを１周させて締め付けたならば、ひもを十字状に交差させて他の２つの隙間に入れ、同様に各磁性体の間を通過させて新聞等に沿わせる。そのままひもを１周させて締め付け、結わえる。こうして、新聞等を容易に束ねることができる。ひもが各磁性体の間を通過すると、４つの枠部材はすぐに各磁性体の吸着力により結合するので、全体の形状を維持することができる。
側面端部同士および／または底面端部同士には、２対の磁性体が端部の長さ方向で離れた位置に取り付けられていることが好ましい。
【００１４】
本考案に係る新聞等ストッカーにおいて、各磁性体はそれぞれ平坦面で吸着し、前記本体の外側から各磁性体の間にひもを案内するガイド部材が設けられていることが好ましい。この場合、各磁性体が平坦面で吸着するため、４つの枠部材は結合が安定し、全体の形状を維持しやすい。また、ガイド部材により、ひもが本体の外側から各磁性体の間に案内されるので、ひもが各磁性体の間を通過しやすくなっている。ガイド部材は、磁性体の平坦面に連続して側面および／または底面に湾曲して伸びる形状を有することが好ましい。ガイド部材は、磁性体の平坦面の上を覆っていてもよい。ガイド部材は、磁性体の表面に比べて摩擦抵抗の小さい素材から成ることが好ましい。
【００１５】
本考案に係る新聞等ストッカーは、前記枠部材の対向する各側面端部同士を着脱可能に結合する連結部材を有することが好ましい。この場合、磁性体の吸着力が弱くても全体の形状を維持することができる。特に、内側に新聞等を収容した状態で枠部材を持ち上げるとき、磁性体の吸着力にかかわらず、全体の形状を維持したまま持ち上げることができる。
収容した新聞等を束ねる際には、連結部材を解除すれば、ひもを隙間に入れて各磁性体の間を通過させ、結わえることができる。
【００１６】
本考案に係る新聞等ストッカーは、前記本体の底部に脚部を有し、前記脚部は設置箇所との間でひもの通過を容易にするよう設置面が球面状をなしていることが好ましい。この場合、ひもが脚部の球面状の設置面と設置箇所との間を通過しやすいため、下方からひもを４つの枠部材の対向する２つの隙間に入れて新聞等を束ねやすい。脚部は、特にボールキャスターから成ることが好ましい。
【考案の効果】
【００１７】
本考案によれば、物をひもで結わえる際などに隙間にひもを通しやすく、新聞、雑誌等を束ねやすいひも通し構造および新聞等ストッカーを提供することができる。
【図面の簡単な説明】
【００１８】
【図１】本考案の実施の形態の新聞等ストッカーを示す（Ａ）斜視図、（Ｂ）平面図である。
【図２】図１に示す新聞等ストッカーの（Ａ）磁性体周辺部の拡大斜視図、（Ｂ）磁性体周辺部の横断面図、（Ｃ）横側ガイド部材の形状を示す斜視図である。
【図３】本考案の他の実施の形態の新聞等ストッカーを示す（Ａ）斜視図、（Ｂ）平面図である。
【考案を実施するための形態】
【００１９】
以下、図面に基づき本考案の実施の形態について説明する。
図１および図２は、本考案の実施の形態の新聞等ストッカーを示している。本考案の実施の形態の新聞等ストッカーは、本考案の実施の形態のひも通し構造を備えている。
図１（Ａ），（Ｂ）に示すように、新聞等ストッカー１は、本体１０と、複数対の磁性体２０ａ，２０ｂと、連結部材３０と、脚部４０とを有している。本体１０は、４つの枠部材１１を有している。各枠部材１１は、直角の長方形状の２つの側面１１ａおよび各側面１１ａと直角の長方形状の底面１１ｂをそれぞれ有している。底面１１ｂは、端部が各側面１１ａの下端および側面端部１２に一体的に結合している。各枠部材１１は、それぞれ独立した部材から成り、同じ形状、寸法を有している。
【００２０】
４つの枠部材１１は、側面端部１２同士および底面端部１３同士を、ひもを通過可能な隙間１４をあけて対向させて配置されている。本体１０は、各枠部材１１の各側面１１ａにより各底面１１ｂを包囲して内側に収容部を形成している。
【００２１】
複数対の磁性体２０ａ，２０ｂは、それぞれ互いに吸着する２つの永久磁石で対を構成し、対向する各側面端部１２同士および各底面端部１３同士に隙間１４で互いに吸着するよう取り付けられている。各側面端部１２には、上部と下部の２箇所に磁性体２０ａ，２０ｂが離れて取り付けられている。各底面端部１３には、両端部付近の２箇所に磁性体２０ａ，２０ｂが離れて取り付けられている。各磁性体２０ａ，２０ｂは、正方形の平板状をなし、平坦面２１で吸着するようになっている。各磁性体２０ａ，２０ｂは、側面端部１２および底面端部１３の幅と同じ幅を有し、それらの幅に合わせて固定されている。隣り合う枠部材１１同士を離して隙間１４を拡幅することにより、隙間１４で吸着する各磁性体２０ａ，２０ｂの間をひもが通過できる間隔に拡幅可能である。
【００２２】
図１（Ａ），（Ｂ）および図２（Ａ），（Ｂ）に示すように、本体１０および各磁性体２０ａ，２０ｂには、外面ガイド部材１５および端部ガイド部材１６が固定されている。外面ガイド部材１５は、図２（Ｃ）に示すように、各磁性体２０ａ，２０ｂの長さの円筒を縦方向に分割した形状を有し、円筒面と平坦面とを有している。外面ガイド部材１５は、円筒面を各磁性体２０ａ，２０ｂの平坦面２１に連続させて、平坦面で各磁性体２０ａ，２０ｂの端面および枠部材１１の外面に貼り付けられている。端部ガイド部材１６は、円筒を縦に４分割した形状を有し、円筒面を各磁性体２０ａ，２０ｂの平坦面２１に連続させて、各磁性体２０ａ，２０ｂの端面および枠部材１１の端部に貼り付けられている。外面ガイド部材１５および端部ガイド部材１６は、本体１０の外側から各磁性体２０ａ，２０ｂの間にひもを通したとき、ひもが各磁性体２０ａ，２０ｂに引っかからないよう案内する。
【００２３】
連結部材３０は、ラッチから成り、基部３１と受け部３２とスライド部３３とを有している。基部３１および受け部３２は、互いに隣り合う枠部材１１の側面端部１２の縦方向中央部に、隙間１４を挟んで対向するよう固定されている。スライド部３３は、基部３１に対してスライドさせて受け部３２に挿入可能に設けられている。これにより、連結部材３０は、枠部材１１の対向する各側面端部１２同士を着脱可能に結合可能である。
【００２４】
脚部４０は、本体１０の底部に設けられている。脚部４０は、自在ボールキャスターから成り、設置面が球面状をなしている。このため、脚部４０は、設置箇所との間でひもの通過が容易である。
【００２５】
次に、作用について説明する。
図１に示すように、新聞等ストッカーは、複数対の磁性体２０ａ，２０ｂにより４つの枠部材１１が結合されている。４つの枠部材１１は、各磁性体２０ａ，２０ｂが平坦面２１で吸着しているため、結合が安定し、全体の形状を維持しやすくなっている。各枠部材１１は、連結部材３０により対向する各側面端部１２同士が結合されている。４つの枠部材１１の内側の収容部に新聞、雑誌等を重ねて収容する。各枠部材１１は連結部材３０により結合されているため、収容部に新聞等を収容した状態でも、分離せずに全体の形状を維持したまま持ち上げることができる。
【００２６】
収容した新聞等を束ねる際、連結部材３０を解除し、ひもを４つの枠部材１１の対向する２つの隙間１４に入れる。脚部４０は設置面が球面状をなしているため、ひもを脚部４０と設置箇所との間に通過させやすくなっている。また、外面ガイド部材１５および端部ガイド部材１６により、ひもが本体１０の外側から各磁性体２０ａ，２０ｂの間に案内されるので、ひもが各磁性体２０ａ，２０ｂの間を通過しやすくなっている。ひもが各磁性体２０ａ，２０ｂの間を通過するとき、隣り合う枠部材１１の側面端部１２とともに各磁性体２０ａ，２０ｂはひもの押付力により離れ、隙間１４を拡幅し、ひもが通過した後、再び吸着する。
【００２７】
ひもを１周させて締め付けたならば、ひもを十字状に交差させて他の２つの隙間１４に入れ、同様に各磁性体２０ａ，２０ｂの間を通過させて新聞等に沿わせる。そのままひもを１周させて締め付け、結わえる。このように、新聞等ストッカーでは、隙間１４にひもを通しやすくなっており、新聞等を容易に束ねることができる。ひもが各磁性体２０ａ，２０ｂの間を通過すると、４つの枠部材１１はすぐに各磁性体２０ａ，２０ｂの吸着力により結合するので、全体の形状を維持することができる。
【００２８】
なお、磁性体２０ａ，２０ｂを吸着させる代わりに、面ファスナー、スナップボタンなどを利用して、枠部材１１の各側面端部１２同士および／または各底面端部１３同士を隙間１４で互いに貼り付けるようにしてもよい。また、外面ガイド部材１５および端部ガイド部材１６は、磁性体２０ａ，２０ｂの平坦面２１に連続してその周囲を包囲する球面体から成っていてもよい。
【００２９】
本考案の実施の形態の新聞等ストッカー２は、図３（Ａ），（Ｂ）に示すように、本体５０を構成する４つの枠部材５１が薄い板状の素材から成り、各側面端部５２同士を重ね、重ねた各側面端部５２の間にひもを通過可能な隙間５４をあけて各側面端部５２を対向させてあってもよい。この場合、複数対の磁性体６０ａ，６０ｂは、各枠部材５１の対向する側面端部５２同士で外側と内側とに貼り付けられ、隙間５４で互いに吸着するようになっている。本体５０は、各側面５１ａにより各底面５１ｂを包囲して内側に新聞等を収容する収容部を形成している。
【００３０】
本体５０は、連結部材、脚部を有しない簡単な構造となっている。新聞等ストッカー２でも、隣り合う枠部材５１の側面端部５２が各磁性体６０ａ，６０ｂとともにひもの押付力により離れ、隙間５４を拡幅するため、隙間５４にひもを通しやすくなっており、新聞等を容易に束ねることができる。
【符号の説明】
【００３１】
１  新聞等ストッカー
１０  本体
１１  枠部材
１１ａ  側面
１１ｂ  底面
１２  側面端部
１３  底面端部
１４  隙間
１５  外面ガイド部材
１６  端部ガイド部材
２０ａ，２０ｂ  磁性体
３０  連結部材
４０  脚部
【図１】
0003181835.tif 000003
【図２】
0003181835.tif 000004
【図３】
0003181835.tif 000005